(57)【特許請求の範囲】
【請求項１】
協調マルチポイント（ＣｏＭＰ）ユーザ確定方法であって、
基地局が、ユーザ装置（ＵＥ）のサービングセルに隣接する隣接セルの第１のダウンリンクリファレンス信号電力値が取得されたか判断するステップと、
前記基地局が、前記第１のダウンリンクリファレンス信号電力値が取得されていないとき、前記ＵＥのサービングセルに隣接する前記隣接セルの第１のアップリンクリファレンス信号電力値と、前記サービングセルの第２のアップリンクリファレンス信号電力値とを取得するステップと、
前記基地局が、前記第１のアップリンクリファレンス信号電力値と前記第２のアップリンクリファレンス信号電力値とに従って第１の協調基地局を確定するステップと、
前記第１の協調基地局が前記隣接セルが属する基地局を有するとき、前記基地局が、前記ＵＥがＣｏＭＰユーザであると確定するステップと、
を有する方法。
【請求項２】
当該方法は更に、
前記第１のダウンリンクリファレンス信号電力値が取得されると、前記基地局が、前記ＵＥのサービングセルの第２のダウンリンクリファレンス信号電力値を取得するステップと、
前記第１のダウンリンクリファレンス信号電力値と前記第２のダウンリンクリファレンス信号電力値とに従って第２の協調基地局を確定するステップと、
前記第２の協調基地局が前記隣接セルが属する前記基地局を有するとき、前記ＵＥがＣｏＭＰユーザであると確定するステップと、
を有する、請求項１記載の方法。
【請求項３】
前記第１のアップリンクリファレンス信号電力値と前記第２のアップリンクリファレンス信号電力値とに従って第１の協調基地局を確定するステップは、
前記第１のアップリンクリファレンス信号電力値と前記第２のアップリンクリファレンス信号電力値との間の差分から、前記ＵＥから前記サービングセルへの方向の第２のアップリンクパスロス値と前記ＵＥから前記隣接セルへの方向の第１のアップリンクパスロス値との間の差分を導出するステップと、
前記第２のアップリンクパスロス値と前記第１のアップリンクパスロス値との間の差分に従って前記第１の協調基地局を確定するステップと、
を有する、請求項１又は２記載の方法。
【請求項４】
前記ＵＥのサービングセルに隣接する隣接セルの第１のアップリンクリファレンス信号電力値と前記サービングセルの第２のアップリンクリファレンス信号電力値とを取得する前に、当該方法は更に、
前記ＵＥのアップリンクリファレンス信号を受信するステップを有し、
前記ＵＥのサービングセルに隣接する隣接セルの第１のアップリンクリファレンス信号電力値と前記サービングセルの第２のアップリンクリファレンス信号電力値とを取得するステップは、
前記サービングセルにおいて、前記ＵＥのアップリンクリファレンス信号の受信電力を測定するステップと、
前記ＵＥのアップリンクリファレンス信号のものであり、前記隣接セルが属する基地局によって前記隣接セルにおいて測定される受信電力から取得される前記第１のアップリンクリファレンス信号電力値を取得するステップと、
を有する、請求項１乃至３何れか一項記載の方法。
【請求項５】
前記アップリンクリファレンス信号を受信する前に、当該方法は更に、
前記ＵＥと隣接セルが属する基地局との間の距離に関する情報に従って測定対象の隣接セルを確定するステップを有する、請求項４記載の方法。
【請求項６】
ＵＥのサービングセルに隣接する隣接セルの第１のダウンリンクリファレンス信号電力値が取得されたか判断するよう構成される確定ユニットと、
前記第１のダウンリンクリファレンス信号電力値が取得されていないと前記確定ユニットが判断すると、前記ＵＥのサービングセルに隣接する前記隣接セルの第１のアップリンクリファレンス信号電力値と前記サービングセルの第２のアップリンクリファレンス信号電力値とを取得するよう構成される取得ユニットと、
前記取得ユニットにより取得される前記第１のアップリンクリファレンス信号電力値と前記第２のアップリンクリファレンス信号電力値とに従って第１の協調基地局を確定し、前記第１の協調基地局が前記隣接セルが属する基地局を有するとき、前記ＵＥがＣｏＭＰユーザであると確定するよう構成される処理ユニットと、
を有する基地局。
【請求項７】
前記取得ユニットは更に、前記ＵＥの隣接セルの第１のダウンリンクリファレンス信号電力値が取得されたと前記確定ユニットが確定すると、前記ＵＥのサービングセルの第２のダウンリンクリファレンス信号電力値を取得するよう構成され、
前記処理ユニットは更に、前記取得ユニットにより取得された前記第１のダウンリンクリファレンス信号電力値と前記第２のダウンリンクリファレンス信号電力値とに従って第２の協調基地局を確定し、前記第２の協調基地局が前記隣接セルが属する基地局を有するとき、前記ＵＥがＣｏＭＰユーザであると確定するよう構成される、請求項６記載の基地局。
【請求項８】
前記処理ユニットは、
前記第１のアップリンクリファレンス信号電力値と前記第２のアップリンクリファレンス信号電力値との間の差分から、前記ＵＥから前記サービングセルへの方向の第２のアップリンクパスロス値と前記ＵＥから前記隣接セルへの方向の第１のアップリンクパスロス値との間の差分を導出し、
前記第２のアップリンクパスロス値と前記第１のアップリンクパスロス値との間の差分に従って前記第１の協調基地局を確定する、
よう構成される、請求項６又は７記載の基地局。
【請求項９】
当該基地局は更に、
前記ＵＥのサービングセルに隣接する隣接セルの第１のアップリンクリファレンス信号電力値と前記サービングセルの第２のアップリンクリファレンス信号電力値とが取得される前に、前記ＵＥのアップリンクリファレンス信号を受信するよう構成される受信ユニットを有し、
前記処理ユニットは、
前記サービングセルにおいて、前記ＵＥのアップリンクリファレンス信号の受信電力を測定し、前記第２のアップリンクリファレンス信号電力値を取得し、前記ＵＥのアップリンクリファレンス信号のものであり、前記隣接セルが属する基地局によって前記隣接セルにおいて測定される受信電力から取得される前記第１のアップリンクリファレンス信号電力値を取得するよう構成される、請求項６乃至８何れか一項記載の基地局。
【請求項１０】
前記確定ユニットは更に、
前記受信ユニットが前記アップリンクリファレンス信号を受信する前に、前記ＵＥと隣接セルが属する基地局との間の距離に関する情報に従って測定対象の隣接セルを確定するよう構成される、請求項９記載の基地局。
【請求項１１】
請求項１乃至５何れか一項記載の方法をコンピュータに実現させるためのプログラム。
【発明の詳細な説明】
【技術分野】
【０００１】
本発明は、通信の分野に関し、特にＣｏＭＰユーザ確定方法及び装置に関する。
【背景技術】
【０００２】
ＣｏＭＰ（Ｃｏｏｒｄｉｎａｔｅｄ  Ｍｕｌｔｉ−Ｐｏｉｎｔ、協調マルチポイント）は、協調的な送信及びスケジューリングなど、協調基地局の間の協調によってシステム性能を向上させる。従来技術では、基地局は、ＣｏＭＰユーザなどのＵＥ（Ｕｓｅｒ  Ｅｑｕｉｐｍｅｎｔ、ユーザ装置）を、ＵＥにより測定及び報告されたダウンリンクＲＳＲＰ（Ｒｅｆｅｒｅｎｃｅ  Ｓｉｇｎａｌ  Ｒｅｃｅｉｖｅ  Ｐｏｗｅｒ、リファレンス信号受信電力）を利用することによって判断しうる。
【０００３】
しかしながら、ＵＥは、ダウンリンクＲＳＲＰを測定する限定的な能力しか有さない（例えば、ＵＥが隣接セルから遠距離にあるとき、又は隣接セルが相対的に低い送信電力によりダウンリンクリファレンス信号を送信するときなど）。ＵＥが隣接セルのダウンリンクＲＳＲＰを測定できないとき、基地局は、ＵＥがＣｏＭＰユーザであるか判断することができず、これにより、システム性能に影響を与える。
【発明の概要】
【０００４】
本発明の実施例は、ＵＥが隣接セルのダウンリンクリファレンス信号電力値を測定できないときでさえ、基地局がＵＥをＣｏＭＰユーザとして確定可能であることを保証するためのＣｏＭＰユーザ確定方法及び装置を提供する。
【０００５】
第１の態様によると、ＣｏＭＰユーザ確定方法であって、
基地局が、ユーザ装置ＵＥのサービングセルに隣接する隣接セルの第１のダウンリンクリファレンス信号電力値が取得されたか判断するステップと、
前記第１のダウンリンクリファレンス信号電力値が取得されていないとき、前記ＵＥのサービングセルに隣接する前記隣接セルの第１のアップリンクリファレンス信号電力値と、前記サービングセルの第２のアップリンクリファレンス信号電力値とを取得するステップと、
前記第１のアップリンクリファレンス信号電力値と前記第２のアップリンクリファレンス信号電力値とに従って第１の協調基地局を確定するステップと、
前記第１の協調基地局が前記隣接セルが属する基地局を有するとき、前記ＵＥがＣｏＭＰユーザであると確定するステップと、
を有する方法が提供される。
【０００６】
第１の態様の第１の可能な実現形態において、当該方法は更に、前記第１のダウンリンクリファレンス信号電力値が取得されると、前記基地局が、前記ＵＥのサービングセルの第２のダウンリンクリファレンス信号電力値を取得するステップと、
前記第１のダウンリンクリファレンス信号電力値と前記第２のダウンリンクリファレンス信号電力値とに従って第２の協調基地局を確定するステップと、
前記第２の協調基地局が前記隣接セルが属する前記基地局を有するとき、前記ＵＥがＣｏＭＰユーザであると確定するステップと、
を有する。
【０００７】
第１の態様又は第１の態様の第１の可能な実現形態を参照して、第２の可能な実現形態では、前記第１のアップリンクリファレンス信号電力値と前記第２のアップリンクリファレンス信号電力値とに従って第１の協調基地局を確定するステップは、
前記第１のアップリンクリファレンス信号電力値と前記第２のアップリンクリファレンス信号電力値との間の差分から、前記ＵＥから前記サービングセルへの方向の第２のアップリンクパスロス値と前記ＵＥから前記隣接セルへの方向の第１のアップリンクパスロス値との間の差分を導出するステップと、
前記第２のアップリンクパスロス値と前記第１のアップリンクパスロス値との間の差分に従って前記第１の協調基地局を確定するステップと、
を有する。
【０００８】
第２の可能な実現形態を参照して、第３の可能な実現形態では、前記第２のアップリンクパスロス値と前記第１のアップリンクパスロス値との間の差分に従って前記第１の協調基地局を確定するステップは、
前記第２のアップリンクパスロス値と前記第１のアップリンクパスロス値との間の差分が所定の閾値以上であるとき、前記隣接セルが属する基地局が前記第１の協調基地局であると確定するステップを有する。
【０００９】
第１の態様から第１の態様の第３の可能な実現形態までの何れか１つを参照して、第４の可能な実現形態では、前記ＵＥの隣接セルの第１のアップリンクリファレンス信号電力値と前記ＵＥのサービングセルの第２のアップリンクリファレンス信号電力値とを取得する前に、当該方法は更に、
アップリンクリファレンス信号を受信するステップを有し、
前記ＵＥの隣接セルの第１のアップリンクリファレンス信号電力値と前記ＵＥのサービングセルの第２のアップリンクリファレンス信号電力値とを取得するステップは、
前記サービングセルにおいて、前記ＵＥのアップリンクリファレンス信号の受信電力を測定し、前記第２のアップリンクリファレンス信号電力値を取得し、前記ＵＥのアップリンクリファレンス信号のものであり、前記隣接セルが属する基地局によって前記隣接セルにおいて測定される受信電力を取得し、前記第１のアップリンクリファレンス信号電力値を取得するステップを有する。
【００１０】
第４の可能な実現形態を参照して、第５の可能な実現形態では、前記アップリンクリファレンス信号を受信する前に、当該方法は更に、
前記ＵＥと隣接セルが属する基地局との間の距離に関する情報に従って測定対象の隣接セルを確定するステップを有する。
【００１１】
第２の態様によると、
ＵＥのサービングセルに隣接する隣接セルの第１のダウンリンクリファレンス信号電力値が取得されたか判断するよう構成される確定ユニットと、
前記第１のダウンリンクリファレンス信号電力値が取得されていないと前記確定ユニットが判断すると、前記ＵＥのサービングセルに隣接する前記隣接セルの第１のアップリンクリファレンス信号電力値と前記サービングセルの第２のアップリンクリファレンス信号電力値とを取得するよう構成される取得ユニットと、
前記取得ユニットにより取得される前記第１のアップリンクリファレンス信号電力値と前記第２のアップリンクリファレンス信号電力値とに従って第１の協調基地局を確定し、前記第１の協調基地局が前記隣接セルが属する基地局を有するとき、前記ＵＥがＣｏＭＰユーザであると確定するよう構成される処理ユニットと、
を有する基地局が提供される。
【００１２】
第２の態様の第１の可能な実現形態では、前記取得ユニットは更に、前記ＵＥの隣接セルの第１のダウンリンクリファレンス信号電力値が取得されたと前記確定ユニットが確定すると、前記ＵＥのサービングセルの第２のダウンリンクリファレンス信号電力値を取得するよう構成され、
前記処理ユニットは更に、前記取得ユニットにより取得された前記第１のダウンリンクリファレンス信号電力値と前記第２のダウンリンクリファレンス信号電力値とに従って第２の協調基地局を確定し、前記第２の協調基地局が前記隣接セルが属する基地局を有するとき、前記ＵＥがＣｏＭＰユーザであると確定するよう構成される。
【００１３】
第２の態様又は第２の態様の第１の可能な実現形態を参照して、第２の可能な実現形態では、前記処理ユニットは、具体的には、前記第１のアップリンクリファレンス信号電力値と前記第２のアップリンクリファレンス信号電力値との間の差分から、前記ＵＥから前記サービングセルへの方向の第２のアップリンクパスロス値と前記ＵＥから前記隣接セルへの方向の第１のアップリンクパスロス値との間の差分を導出し、
前記第２のアップリンクパスロス値と前記第１のアップリンクパスロス値との間の差分に従って前記第１の協調基地局を確定するよう構成される。
【００１４】
第２の可能な実現形態を参照して、第３の可能な実現形態では、前記処理ユニットは、具体的には、前記第２のアップリンクパスロス値と前記第１のアップリンクパスロス値との間の差分が所定の閾値以上であるとき、前記隣接セルが属する基地局が前記第１の協調基地局であると確定するよう構成される。
【００１５】
第２の態様から第２の態様の第３の可能な実現形態までの何れか１つを参照して、第４の可能な実現形態では、当該基地局は更に、前記ＵＥの隣接セルの第１のアップリンクリファレンス信号電力値と前記サービングセルの第２のアップリンクリファレンス信号電力値とが取得される前に、アップリンクリファレンス信号を受信するよう構成される受信ユニットを有し、
前記処理ユニットは、具体的には、前記サービングセルにおいて、前記ＵＥのアップリンクリファレンス信号の受信電力を測定し、前記第２のアップリンクリファレンス信号電力値を取得し、前記ＵＥのアップリンクリファレンス信号のものであり、前記隣接セルが属する基地局によって前記隣接セルにおいて測定される受信電力を取得し、前記第１のアップリンクリファレンス信号電力値を取得するよう構成される。
【００１６】
第４の可能な実現形態を参照して、第５の可能な実現形態では、前記確定ユニットは更に、前記受信ユニットが前記アップリンクリファレンス信号を受信する前に、前記ＵＥと隣接セルが属する基地局との間の距離に関する情報に従って測定対象の隣接セルを確定するよう構成される。
【００１７】
第３の態様によると、プロセッサとメモリとを有する基地局が提供され、
前記メモリはコンピュータ実行可能命令を記憶し、前記プロセッサと前記メモリとは通信バスを利用することによって接続され、
当該基地局が動作するとき、前記プロセッサは、前記メモリに記憶される前記コンピュータ実行可能命令を実行し、ＵＥのサービングセルに隣接する隣接セルの第１のダウンリンクリファレンス信号電力値が取得されたか判断し、前記第１のダウンリンクリファレンス信号電力値が取得されていないと判断されると、前記ＵＥのサービングセルに隣接する前記隣接セルの第１のアップリンクリファレンス信号電力値と前記サービングセルの第２のアップリンクリファレンス信号電力値とを取得し、取得される前記第１のアップリンクリファレンス信号電力値と前記第２のアップリンクリファレンス信号電力値とに従って第１の協調基地局を確定し、前記第１の協調基地局が前記隣接セルが属する基地局を有するとき、前記ＵＥがＣｏＭＰユーザであると確定するよう構成される。
【００１８】
第３の態様の第１の可能な実現形態では、前記プロセッサは、具体的には、前記ＵＥの隣接セルの第１のダウンリンクリファレンス信号電力値が取得されたと確定されると、前記ＵＥのサービングセルの第２のダウンリンクリファレンス信号電力値を取得し、前記第１のダウンリンクリファレンス信号電力値と前記第２のダウンリンクリファレンス信号電力値とに従って第２の協調基地局を確定し、前記第２の協調基地局が前記隣接セルが属する基地局を有するとき、前記ＵＥがＣｏＭＰユーザであると確定するよう構成される。
【００１９】
第３の態様又は第３の態様の第１の可能な実現形態を参照して、第２の可能な実現形態では、前記プロセッサは、具体的には、前記第１のアップリンクリファレンス信号電力値と前記第２のアップリンクリファレンス信号電力値との間の差分から、前記ＵＥから前記サービングセルへの方向の第２のアップリンクパスロス値と前記ＵＥから前記隣接セルへの方向の第１のアップリンクパスロス値との間の差分を導出し、前記第２のアップリンクパスロス値と前記第１のアップリンクパスロス値との間の差分に従って前記第１の協調基地局を確定するよう構成される。
【００２０】
第２の可能な実現形態を参照して、第３の可能な実現形態では、前記プロセッサは、具体的には、前記第２のアップリンクパスロス値と前記第１のアップリンクパスロス値との間の差分が所定の閾値以上であるとき、前記隣接セルが属する基地局が前記第１の協調基地局であると確定するよう構成される。
【００２１】
第３の態様から第３の態様の第３の可能な実現形態の何れか１つを参照して、第４の可能な実現形態では、当該基地局は更に、送受信機を有し、前記送受信機と前記プロセッサとは、前記通信バスにより接続され、前記送受信機は、前記ＵＥの隣接セルの第１のアップリンクリファレンス信号電力値と前記サービングセルの第２のアップリンクリファレンス信号電力値とが取得される前に、アップリンクリファレンス信号を受信するよう構成され、
前記プロセッサは、具体的には、前記サービングセルにおいて、前記ＵＥのものであって、前記送受信機により受信されるアップリンクリファレンス信号の受信電力を測定し、前記第２のアップリンクリファレンス信号電力値を取得し、前記ＵＥのアップリンクリファレンス信号のものであり、前記隣接セルが属する基地局によって前記隣接セルにおいて測定される受信電力を取得し、前記第１のアップリンクリファレンス信号電力値を取得するよう構成される。
【００２２】
第４の可能な実現形態を参照して、第５の可能な実現形態では、前記プロセッサは更に、前記送受信機が前記アップリンクリファレンス信号を受信する前に、前記ＵＥと隣接セルが属する基地局との間の距離に関する情報に従って測定対象の隣接セルを確定するよう構成される。
【００２３】
第４の態様によると、コンピュータ実行可能命令を有するコンピュータ可読媒体であって、コンピュータの中央処理ユニットが前記コンピュータ実行可能命令を実行すると、前記コンピュータは、第１の態様による方法を実行するコンピュータ可読媒体が提供される。
【００２４】
本発明の実施例は、協調マルチポイントＣｏＭＰユーザ確定方法及び装置を提供する。ＵＥが隣接セルのダウンリンクリファレンス信号電力値を測定できないとき、基地局は、ＵＥの隣接セルの第１のアップリンクリファレンス信号電力値とサービングセルの第２のアップリンクリファレンス信号電力値とを取得し、第１のアップリンクリファレンス信号電力値と第２のアップリンクリファレンス信号電力値とに従って、ＵＥがＣｏＭＰユーザであると最終的に確定する。このようにして、システム性能がこれにより向上する。
【図面の簡単な説明】
【００２５】
本発明の実施例における技術的方策をより明確に説明するため、以下において、実施例を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【図１】図１は、本発明の実施例によるＣｏＭＰユーザ確定方法の概略図である。
【図２Ａ】図２Ａは、本発明の実施例によるＣｏＭＰユーザ確定方法の概略的なフローチャートである。
【図２Ｂ】図２Ｂは、本発明の実施例によるＣｏＭＰユーザ確定方法の概略的なフローチャートである。
【図３】図３は、本発明の実施例による基地局の概略的な構成図である。
【図４】図４は、本発明の実施例による他の基地局の概略的な構成図である。
【図５】図５は、本発明の実施例による基地局の概略的な装置図である。
【図６】図６は、本発明の実施例による他の基地局の概略的な装置図である。
【発明を実施するための形態】
【００２６】
以下、本発明の実施例における添付図面を参照して、本発明の実施例における技術的方策が明確且つ完全に説明される。明らかに、説明される実施例は、本発明の実施例の全てでなく単なる一部である。創作的な努力なく本発明の実施例に基づき当業者により取得される他の全ての実施例は、本発明の保護範囲内に属する。
【００２７】
本発明の実施例は、ＣｏＭＰユーザ確定方法を提供し、図１に示されるように、当該方法は、基地局により実行され、以下を含む。
【００２８】
Ｓ１０１：基地局は、ＵＥのサービングセルに隣接する隣接セルの第１のダウンリンクリファレンス信号電力値が取得されたか判断する。
【００２９】
Ｓ１０２：第１のダウンリンクリファレンス信号電力値が取得されていないとき、当該基地局は、ＵＥのサービングセルに隣接する隣接セルの第１のアップリンクリファレンス信号電力値と、サービングセルの第２のアップリンクリファレンス信号電力値とを取得する。
【００３０】
第１のアップリンクリファレンス信号電力値と、サービングセルのものである第２のアップリンクリファレンス信号電力値とは、ＬＴＥ（Ｌｏｎｇ  Ｔｅｒｍ  Ｅｖｏｌｕｔｉｏｎ、ロング・ターム・エボリューション）システムにおけるアップリンクＲＳＲＰであってもよいし、又はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサル・モバイル・テレコミュニケーション・システム）システムにおけるアップリンクＲＳＣＰ（Ｒｅｃｅｉｖｅｄ  Ｓｉｇｎａｌ  Ｃｏｄｅ  Ｐｏｗｅｒ、受信信号コード電力）であってもよく、これは、本発明において限定されない。
【００３１】
さらに、基地局が第１のアップリンクリファレンス信号電力値と第２のアップリンクリファレンス信号電力値とを取得する前に、基地局はアップリンクリファレンス信号を受信する。基地局が第１のアップリンクリファレンス信号電力値と第２のアップリンクリファレンス信号電力値とを取得するステップは、具体的には、当該基地局が、サービングセルにおいて、ＵＥにより送信されたアップリンクリファレンス信号の受信電力を測定し、第２のアップリンクリファレンス信号電力値を取得し、ＵＥにより送信されたアップリンクリファレンス信号のものであり、隣接セルが属する基地局によって隣接セルにおいて測定される受信電力を取得し、第１のアップリンクリファレンス信号電力値を取得することであってもよい。
【００３２】
アップリンクリファレンス信号は、ＳＲＳ（Ｓｏｕｎｄｉｎｇ  Ｒｅｆｅｒｅｎｃｅ  Ｓｉｇｎａｌ、サウンディング・リファレンス信号）又はＤＭＲＳ（Ｄｅｍｏｄｕｌａｔｉｏｎ  Ｒｅｆｅｒｅｎｃｅ  Ｓｉｇｎａｌ、復調リファレンス信号）であってもよく、これは、本発明において限定されない。
【００３３】
Ｓ１０３：当該基地局は、第１のアップリンクリファレンス信号電力値と第２のアップリンクリファレンス信号電力値とに従って第１の協調基地局を確定する。
【００３４】
具体的には、当該基地局は、第１のアップリンクリファレンス信号電力値と第２のアップリンクリファレンス信号電力値との間の差分から、ＵＥからサービングセルへの方向の第２のアップリンクパスロス値とＵＥから隣接セルへの方向の第１のアップリンクパスロス値との間の差分を導出し、第２のアップリンクパスロス値と第１のアップリンクパスロス値との間の差分に従って第１の協調基地局を確定する。
【００３５】
第１のアップリンクパスロス値は、ＵＥのアップリンクリファレンス信号送信電力値と第１のアップリンクリファレンス信号電力値との間の差分であり、第２のアップリンクパスロス値は、ＵＥのアップリンクリファレンス信号送信電力値と第１のアップリンクリファレンス信号電力値との間の差分であることが留意されるべきである。第１のアップリンクリファレンス信号電力値と第２のアップリンク信号電力値との間の差分が、第２のアップリンクパスロス値と第１のアップリンクパスロス値との間の差分であることを知ることができる。
【００３６】
さらに、第２のアップリンクパスロス値と第１のアップリンクパスロス値との間の差分が所定の閾値以上であるとき、隣接セルが属する基地局が第１の協調基地局であると結論づけされる。
【００３７】
任意的には、アップリンクリファレンス信号が受信される前に、当該基地局は、ＵＥと隣接セルが属する基地局との間の距離に関する情報に従って測定対象の隣接セルを確定し、測定対象の隣接セルが属する基地局によって、ＵＥにより送信されたアップリンクリファレンス信号の測定から導出される第１のアップリンクリファレンス信号電力値を取得する。
【００３８】
具体的には、サービングセルのＵＥと隣接セルが属する基地局との間の距離に関する情報に従って測定対象の隣接セルを確定することは、以下の３つのケースを含む。
【００３９】
ケース１：ＵＥと隣接セルが属する基地局との間の距離に関する情報が取得されないとき、ＵＥの隣接セルが測定対象の隣接セルであると確定する。
【００４０】
ケース２：ＵＥと隣接セルが属する基地局との間の距離に関する情報が取得され、且つ、当該距離情報が距離制限値以下であるとき、隣接セルが測定対象の隣接セルであると確定する。
【００４１】
ケース３：ＵＥと隣接セルが属する基地局との間の距離に関する情報が取得され、且つ、距離情報が距離制限値より大きいとき、隣接セルが測定対象の隣接セルでないと確定する。
【００４２】
上記のケース２について、距離情報が距離制限値以下であるとき、すなわち、ＵＥが隣接セルの近傍にあるとき、基地局は、測定対象の隣接セルのアップリンクリファレンス信号電力値しか取得する必要はなく、これにより、基地局の測定複雑度及び作業負担を低減する。
【００４３】
Ｓ１０４：第１の協調基地局が隣接セルが属する基地局を含むとき、基地局は、ＵＥがＣｏＭＰユーザであると確定する。
【００４４】
ＵＥが隣接セルの第１のダウンリンクリファレンス信号電力値を測定及び報告してもよいことが留意されるべきである。しかしながら、実際の状況では、ＵＥの限定的な測定能力のため、例えば、ＵＥが隣接セルから遠距離であるか、又は、隣接セルが相対的に低い送信電力によりダウンリンクリファレンス信号を送信するとき、ＵＥは、隣接セルの第１のダウンリンクリファレンス信号電力値を測定できず、これにより、ＵＥがＣｏＭＰユーザであるか確定できない。上記のステップＳ１０１〜Ｓ１０４を実践することによって、ＵＥは、ＣｏＭＰユーザであると確定できる。
【００４５】
さらに、上記に対して、隣接セルのアップリンクリファレンス信号を測定することは、当該基地局の作業負担を増加させ、結果的に当該基地局のサービス品質を低減し、アップリンクリファレンス信号の測定精度は限定的である。上記の理由のため、ダウンリンクリファレンス信号電力値が依然として取得される必要がある。好ましくは、ＵＥの隣接セルの第１のダウンリンクリファレンス信号電力値が取得可能であるとき、基地局は、第１のダウンリンクリファレンス信号電力値を利用することによって、ＵＥがＣｏＭＰユーザであるか確定し、具体的には、基地局が第１のダウンリンクリファレンス信号電力値を取得すると、基地局は、ＵＥのサービングセルの第２のダウンリンクリファレンス信号電力値を取得し、第１のダウンリンクリファレンス信号電力値と第２のダウンリンクリファレンス信号電力値とに従って第２の協調基地局を確定し、第２の協調基地局が隣接セルが属する基地局を含むとき、ＵＥがＣｏＭＰユーザであると確定する。
【００４６】
具体的には、ＵＥは、測定によって隣接セルの第１のダウンリンクリファレンス信号電力値と、サービングセルの第２のダウンリンクリファレンス信号電力値とを取得し、第１のダウンリンクリファレンス信号電力値と第２のダウンリンクリファレンス信号電力値との間の差分が所定の制限値以上であるとき、ＵＥは、第１のダウンリンクリファレンス信号電力値と第２のダウンリンクリファレンス信号電力値とを基地局に報告し、第１のダウンリンクリファレンス信号電力値と第２のダウンリンクリファレンス信号電力値との間の差分が所定の閾値以上であるとき、基地局は、隣接セルが属する基地局がＵＥにデータを送信する協調基地局であると確定する。基地局は、隣接セルが属する基地局の信号送信電力値と、取得された第１のダウンリンクリファレンス信号電力値との間の差分に従って第１のダウンリンクパスロス値を取得し、基地局の信号送信電力値と第２のダウンリンクリファレンス信号電力値との間の差分に従って第２のダウンリンクパスロス値を取得し、第２のダウンリンクパスロス値と第１のダウンリンクパスロス値との間の差分を取得し、第２のダウンリンクパスロス値と第１のダウンリンクパスロス値との間の差分が所定の閾値以上であるとき、隣接セルが属する基地局が、ＵＥにより送信されたデータを受信する協調基地局であると確定する。ＵＥにデータを送信する協調基地局と、ＵＥにより送信されたデータを受信する協調基地局とは第２の協調基地局であり、ＵＥは、ＣｏＭＰユーザであると確定される。
【００４７】
所定の制限値と所定の閾値とは異なる値であってもよいことに留意すべきである。
【００４８】
上記の方策では、ＵＥが隣接セルのダウンリンクリファレンス信号電力値を測定できないとき、基地局は、ＵＥの隣接セルの第１のアップリンクリファレンス信号電力値と、サービングセルの第２のアップリンクリファレンス信号電力値とを取得し、第１のアップリンクリファレンス信号電力値と第２のアップリンクリファレンス信号電力値とに従って、ＵＥがＣｏＭＰユーザであると最終的に確定する。このようにして、システム性能がこれにより向上する。
【００４９】
本発明の実施例は、ＣｏＭＰユーザ確定方法を提供する。図２Ａ及び図２Ｂに示されるように、本発明の本実施例では、アップリンクリファレンス信号電力値とダウンリンクリファレンス信号電力値とは、例えば、ＲＳＲＰであり、当該方法は以下を含む。
【００５０】
本実施例では、第１のＵＥと第２のＵＥとは基地局のサービングセルの範囲内であり、ここで、第１のＵＥはサービングセルに隣接する隣接セルのダウンリンクＲＳＲＰを測定可能であり、第２のＵＥは隣接セルのダウンリンクＲＳＲＰを測定できないことが留意されるべきである。
【００５１】
Ｓ２０１：第１のＵＥは、隣接セルの第１のダウンリンクＲＳＲＰとサービングセルの第２のダウンリンクＲＳＲＰとを取得する。
【００５２】
Ｓ２０２：第１のダウンリンクＲＳＲＰと第２のダウンリンクＲＳＲＰとの間の差分が所定の制限値より大きいとき、第１のＵＥは、第１のダウンリンクＲＳＲＰと第２のダウンリンクＲＳＲＰとを基地局に報告する。
【００５３】
具体的には、報告イベントがＵＥ上に設定され、第１のダウンリンクＲＳＲＰと第２のダウンリンクＲＳＲＰとの間の差分が所定の制限値より大きいとき、ＵＥは、第１のダウンリンクＲＳＲＰと第２のダウンリンクＲＳＲＰとを基地局に報告する。
【００５４】
Ｓ２０３：第１のダウンリンクＲＳＲＰと第２のダウンリンクＲＳＲＰとの間の差分が所定の閾値以上であるとき、基地局は、隣接セルが属する基地局がデータをＵＥに送信する協調基地局であると確定する。
【００５５】
Ｓ２０４：基地局は、第１のダウンリンクＲＳＲＰに従って第１のダウンリンクパスロス値を取得し、第２のダウンリンクＲＳＲＰに従って第２のダウンリンクパスロス値を取得する。
【００５６】
具体的には、基地局は、隣接セルが属する基地局の信号送信電力値と取得された第１のダウンリンクＲＳＲＰとの間の差分に従って第１のダウンリンクパスロス値を取得し、基地局の信号送信電力値と第２のダウンリンクＲＳＲＰとの間の差分に従って第２のダウンリンクパスロス値を取得する。
【００５７】
Ｓ２０５：第２のダウンリンクパスロス値と第１のダウンリンクパスロス値との間の差分が所定の閾値以上であるとき、基地局は、隣接セルが属する基地局がＵＥにより送信されたデータを受信する協調基地局であると確定する。
【００５８】
ＵＥにデータを送信する協調基地局と、ＵＥにより送信されたデータを受信する協調基地局とは、第２の協調基地局である。
【００５９】
Ｓ２０６：第２の協調基地局が隣接セルが属する基地局を含むと確定するとき、基地局は、第１のＵＥがＣｏＭＰユーザであると確定する。
【００６０】
さらに、第２のＵＥは、隣接セルのダウンリンクＲＳＲＰを測定できず、従って、第２のＵＥについて、ステップＳ２０７〜Ｓ２１０が実行される。
【００６１】
Ｓ２０７：基地局は、アップリンクリファレンス信号を測定することによって、第２のＵＥの隣接セルの第１のアップリンクＲＳＲＰと、第２のＵＥのサービングセルの第２のアップリンクＲＳＲＰとを取得する。
【００６２】
具体的には、基地局が第１のアップリンクリファレンス信号電力と第２のアップリンクリファレンス信号電力とを取得する前に、基地局は、アップリンクリファレンス信号を受信し、基地局は、サービングセルにおいて、ＵＥにより送信されたアップリンクリファレンス信号の受信電力を測定し、第２のアップリンクリファレンス信号電力値を取得し、ＵＥにより送信されたアップリンクリファレンス信号のものであり、隣接セルが属する基地局により隣接セルにおいて測定された受信電力を取得し、第１のアップリンクリファレンス信号電力値を取得する。
【００６３】
アップリンクリファレンス信号はＳＲＳ又はＤＭＲＳであってもよく、これは、本発明において限定されない。
【００６４】
Ｓ２０８：基地局は、第１のアップリンクＲＳＲＰと第２のアップリンクＲＳＲＰとの間の差分から、ＵＥからサービングセルへの方向の第２のアップリンクパスロス値と、ＵＥから隣接セルへの方向の第１のアップリンクパスロス値との間の差分を導出する。
【００６５】
第１のアップリンクパスロス値は、ＵＥのアップリンクリファレンス信号送信電力値と第１のアップリンクリファレンス信号電力値との間の差分であり、第２のアップリンクパスロス値は、ＵＥのアップリンクリファレンス信号送信電力値と第１のアップリンクリファレンス信号電力値との間の差分であることが留意されるべきである。第１のアップリンクリファレンス信号電力値と第２のアップリンク信号電力値との間の差分が、第２のアップリンクパスロス値と第１のアップリンクパスロス値との間の差分であることを知ることができる。
【００６６】
Ｓ２０９：第２のアップリンクパスロス値と第１のアップリンクパスロス値との間の差分が所定の閾値以上であるとき、基地局は、隣接セルが属する基地局が第１の協調基地局であると確定する。
【００６７】
任意的には、アップリンクリファレンス信号が受信される前に、基地局は、ＵＥと隣接セルが属する基地局との間の距離に関する情報に従って測定対象の隣接セルを確定し、測定対象の隣接セルが属する基地局によって、ＵＥにより送信されたアップリンクリファレンス信号の測定から導出された第１のアップリンクリファレンス信号電力値を取得する。
【００６８】
具体的には、サービングセルのＵＥと隣接セルが属する基地局との間の距離に関する情報に従って測定対象の隣接セルを確定することは、以下の３つのケースを含む。
【００６９】
ケース１：ＵＥと隣接セルが属する基地局との間の距離に関する情報が取得されていないとき、ＵＥの隣接セルは測定対象の隣接セルであると確定する。
【００７０】
ケース２：ＵＥと隣接セルが属する基地局との間の距離に関する情報が取得され、且つ、距離情報が距離制限値以下であるとき、隣接セルが測定対象の隣接セルであると確定する。
【００７１】
ケース３：ＵＥと隣接セルが属する基地局との間の距離に関する情報が取得され、且つ、距離情報が距離制限値より大きいとき、隣接セルが測定対象の隣接セルでないと確定する。
【００７２】
上記のケース２について、距離情報が距離制限値以下であるとき、すなわち、ＵＥが隣接セルの近傍にあるとき、基地局は、測定対象の隣接セルのアップリンクリファレンス信号電力値しか取得する必要がなく、これにより、基地局の測定複雑度及び作業負担を低減する。
【００７３】
Ｓ２１０：第１の協調基地局が隣接セルが属する基地局を有すると確定するとき、基地局は、第２のＵＥがＣｏＭＰユーザであると確定する。
【００７４】
簡単な説明のため、上記の方法の実施例はアクションの系列として表されることが留意されるべきである。しかしながら、当業者は、本発明がアクションの説明された順序に限定されないことを理解すべきである。さらに、当業者はまた、本明細書に説明される全ての実施例が例示的な実施例に属し、関係するアクション及びモジュールが本発明に必ずしも必須であるとは限らないことを理解すべきである。
【００７５】
上記の方策では、ＵＥが隣接セルのダウンリンクリファレンス信号電力値を測定できるとき、ＣｏＭＰユーザは、ダウンリンクリファレンス信号電力値に従って確定され、ＵＥがダウンリンクＲＳＲＰを測定できないとき、基地局は、ＵＥのサービングセルに隣接する隣接セルの第１のアップリンクリファレンス信号電力値と、サービングセルの第２のアップリンクリファレンス信号電力値とを取得し、第１のアップリンクリファレンス信号電力値と第２のアップリンクリファレンス信号電力値とに従って、ＵＥがＣｏＭＰユーザであると最終的に確定する。このようにして、ＣｏＭＰユーザは、取得されたアップリンクリファレンス信号電力値とダウンリンクリファレンス信号電力値とに従って確定され、ＣｏＭＰユーザの確定は、基地局のサービングセルにおける全てのＵＥに対して行われてもよく、これにより、システム性能を更に向上させる。
【００７６】
本発明の実施例は、基地局３０を提供し、図３に示されるように、基地局３０は、
ＵＥのサービングセルに隣接する隣接セルの第１のダウンリンクリファレンス信号電力値が取得されたか判断するよう構成される確定ユニット３１と、
第１のダウンリンクリファレンス信号電力値が取得されていないと確定ユニット３１が判断すると、ＵＥのサービングセルに隣接する隣接セルの第１のアップリンクリファレンス信号電力値とサービングセルの第２のアップリンクリファレンス信号電力値とを取得するよう構成される取得ユニット３２と、
ここで、第１のアップリンクリファレンス信号電力値とサービングセルのものである第２のアップリンクリファレンス信号電力値とは、ＬＴＥシステムにおけるアップリンクＲＳＲＰであってもよく、又は、ＵＭＴＳシステムにおけるアップリンクＲＳＣＰであってもよく、これは、本発明において限定されず、
取得ユニット３２により取得される第１のアップリンクリファレンス信号電力値と第２のアップリンクリファレンス信号電力値とに従って第１の協調基地局を確定し、第１の協調基地局が隣接セルが属する基地局を有するとき、ＵＥがＣｏＭＰユーザであると確定するよう構成される処理ユニット３３と、
を有する。
【００７７】
任意的には、処理ユニット３３は、具体的には、第１のアップリンクリファレンス信号電力値と第２のアップリンクリファレンス信号電力値との間の差分から、ＵＥからサービングセルへの方向の第２のアップリンクパスロス値とＵＥから隣接セルへの方向の第１のアップリンクパスロス値との間の差分を導出し、第２のアップリンクパスロス値と第１のアップリンクパスロス値との間の差分に従って第１の協調基地局を確定するよう構成される。
【００７８】
第１のアップリンクパスロス値が、ＵＥのアップリンクリファレンス信号送信電力値と第１のアップリンクリファレンス信号電力値との間の差分であり、第２のアップリンクパスロス値が、ＵＥのアップリンクリファレンス信号送信電力値と第１のアップリンクリファレンス信号電力値との間の差分であることが留意されるべきである。第１のアップリンクリファレンス信号電力値と第２のアップリンクリファレンス信号電力値との間の差分が、第２のアップリンクパスロス値と第１のアップリンクパスロス値との間の差分であることを知ることができる。
【００７９】
処理ユニット３３は、具体的には、第２のアップリンクパスロス値と第１のアップリンクパスロス値との間の差分が所定の閾値以上であるとき、隣接セルが属する基地局が第１の協調基地局であると確定するよう構成される。
【００８０】
さらに、図４に示されるように、基地局３０は更に、ＵＥの隣接セルの第１のアップリンクリファレンス信号電力値とサービングセルの第２のアップリンクリファレンス信号電力値とが取得される前に、アップリンクリファレンス信号を受信するよう構成される受信ユニット３４を有する。
【００８１】
処理ユニット３３は、具体的には、サービングセルにおいて、ＵＥのアップリンクリファレンス信号の受信電力を測定し、第２のアップリンクリファレンス信号電力値を取得し、ＵＥのアップリンクリファレンス信号のものであり、隣接セルが属する基地局によって隣接セルにおいて測定される受信電力を取得し、第１のアップリンクリファレンス信号電力値を取得するよう構成される。
【００８２】
アップリンクリファレンス信号は、ＳＲＳ又はＤＭＲＳであってもよく、これは、本発明において限定されない。
【００８３】
さらに、確定ユニット３１は更に、受信ユニット３４がアップリンクリファレンス信号を受信する前に、ＵＥと隣接セルが属する基地局との間の距離に関する情報に従って測定対象の隣接セルを確定するよう構成される。
【００８４】
さらに、取得ユニット３２は更に、ＵＥの隣接セルの第１のダウンリンクリファレンス信号電力値が取得されたと確定ユニット３１が確定すると、ＵＥのサービングセルの第２のダウンリンクリファレンス信号電力値を取得するよう構成される。
【００８５】
処理ユニット３３は更に、取得ユニット３２により取得された第１のダウンリンクリファレンス信号電力値と第２のダウンリンクリファレンス信号電力値とに従って第２の協調基地局を確定し、第２の協調基地局が前記隣接セルが属する基地局を有するとき、ＵＥがＣｏＭＰユーザであると確定するよう構成される。
【００８６】
ＵＥが隣接セルのダウンリンクリファレンス信号電力値を測定できないとき、基地局は、ＵＥのサービングセルに隣接する隣接セルの第１のアップリンクリファレンス信号電力値と、サービングセルの第２のアップリンクリファレンス信号電力値とを取得し、第１のアップリンクリファレンス信号電力値と第２のアップリンクリファレンス信号電力値とに従って、ＵＥがＣｏＭＰユーザであると最終的に確定する。このようにして、システム性能がこれにより向上する。
【００８７】
当業者は、便宜的及び簡単な説明のため、上記の基地局の詳細なワーキングプロセス及び説明のため、上記の方法の実施例における対応するプロセスが参照されてもよく、詳細はここでは再説明されない。
【００８８】
本発明の実施例は、基地局５０を提供し、図５に示されるように、基地局５０は、
プロセッサ（ｐｒｏｃｅｓｓｏｒ）５１、通信インタフェース（Ｃｏｍｍｕｎｉｃａｔｉｏｎｓ  Ｉｎｔｅｒｆａｃｅ）５２、メモリ（ｍｅｍｏｒｙ）５３及び通信バス５４を有し、ここで、プロセッサ５１、通信インタフェース５２及びメモリ５３は、通信バス５４を利用することによって互いに通信する。
【００８９】
プロセッサ５１は、中央処理ユニットＣＰＵ又は特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）であってもよく、又は、本発明の実施例を実現する１以上の集積回路に設定されてもよい。
【００９０】
メモリ５３は、プログラムコードを記憶するよう構成され、ここで、当該プログラムコードはコンピュータ処理命令を含む。メモリ５３は、高速ＲＡＭメモリを有してもよく、又は、例えば、少なくとも１つの磁気ディスクメモリなどの不揮発性メモリ（ｎｏｎ−ｖｏｌａｔｉｌｅ  ｍｅｍｏｒｙ）を含むものであってもよい。
【００９１】
通信インタフェース５２は、これらの装置の間の接続及び通信を実現するよう構成される。
【００９２】
プロセッサ５１は、プログラムコードを実行し、ＵＥのサービングセルに隣接する隣接セルの第１のダウンリンクリファレンス信号電力値が取得されたか判断し、第１のダウンリンクリファレンス信号電力値が取得されていないと判断されると、ＵＥのサービングセルに隣接する隣接セルの第１のアップリンクリファレンス信号電力値とサービングセルの第２のアップリンクリファレンス信号電力値とを取得し、取得される第１のアップリンクリファレンス信号電力値と第２のアップリンクリファレンス信号電力値とに従って第１の協調基地局を確定し、第１の協調基地局が隣接セルが属する基地局を有するとき、ＵＥがＣｏＭＰユーザであると確定するよう構成される。
【００９３】
任意的には、プロセッサ５１は、具体的には、ＵＥの隣接セルの第１のダウンリンクリファレンス信号電力値が取得されたと確定されると、ＵＥのサービングセルの第２のダウンリンクリファレンス信号電力値を取得し、第１のダウンリンクリファレンス信号電力値と第２のダウンリンクリファレンス信号電力値とに従って第２の協調基地局を確定し、第２の協調基地局が隣接セルが属する基地局を有するとき、ＵＥがＣｏＭＰユーザであると確定するよう構成される。
【００９４】
任意的には、プロセッサ５１は、具体的には、第１のアップリンクリファレンス信号電力値と第２のアップリンクリファレンス信号電力値との間の差分から、ＵＥからサービングセルへの方向の第２のアップリンクパスロス値とＵＥから隣接セルへの方向の第１のアップリンクパスロス値との間の差分を導出し、第２のアップリンクパスロス値と第１のアップリンクパスロス値との間の差分に従って第１の協調基地局を確定するよう構成される。
【００９５】
任意的には、プロセッサ５１は、具体的には、第２のアップリンクパスロス値と第１のアップリンクパスロス値との間の差分が所定の閾値以上であるとき、隣接セルが属する基地局が第１の協調基地局であると確定するよう構成される。
【００９６】
さらに、図６に示されるように、基地局５０は更に、送受信機５５を有し、送受信機とプロセッサとは、通信バスにより接続され、送受信機５５は、ＵＥの隣接セルの第１のアップリンクリファレンス信号電力値とサービングセルの第２のアップリンクリファレンス信号電力値とが取得される前に、アップリンクリファレンス信号を受信するよう構成される。
【００９７】
プロセッサ５１は、具体的には、サービングセルにおいて、ＵＥのものであって、送受信機５５により受信されるアップリンクリファレンス信号の受信電力を測定し、第２のアップリンクリファレンス信号電力値を取得し、ＵＥのアップリンクリファレンス信号のものであり、隣接セルが属する基地局によって隣接セルにおいて測定される受信電力を取得し、第１のアップリンクリファレンス信号電力値を取得するよう構成される。
【００９８】
任意的には、プロセッサ５１は更に、送受信機５５がアップリンクリファレンス信号を受信する前に、ＵＥと隣接セルが属する基地局との間の距離に関する情報に従って測定対象の隣接セルを確定するよう構成される。
【００９９】
本発明の実施例は、コンピュータ実行可能命令を有するコンピュータ可読媒体を提供する。コンピュータの中央処理ユニットがコンピュータ実行可能命令を実行するとき、コンピュータは、上記の図５又は図６において説明される基地局のプロセッサ５１により実行されるプログラムコードを実行する。
【０１００】
当業者は、方法の実施例のステップの全て又は一部が関連するハードウェアに指示するプログラムによって実現されてもよいことを理解してもよい。当該プログラムは、コンピュータ可読記憶媒体に格納されてもよい。プログラムが実行されると、方法の実施例のステップが実行される。上記の記憶媒体は、ＲＯＭ、ＲＡＭ、磁気ディスク又は光ディスクなどのプログラムコードを記憶可能な何れかの媒体を含む。
【０１０１】
上記の説明は、本発明の単なる特定の実現形態であり、本発明の保護範囲を限定することを意図するものでない。本発明において開示される技術範囲内における当業者により容易に理解される何れかの変形又は置換は、本発明の保護範囲内に属する。従って、本発明の保護範囲は、請求項の保護範囲に従う。
【図１】
0006055556.tif 000002
【図２Ａ】
0006055556.tif 000003
【図２Ｂ】
0006055556.tif 000004
【図３】
0006055556.tif 000005
【図４】
0006055556.tif 000006
【図５】
0006055556.tif 000007
【図６】
0006055556.tif 000008